(57)【要約】  本発明は、釣り針の根がかり防止装置に関し、釣り糸（２０）が縛られたアイ（１１）が挿入されるように柔らかく且つ弾性力に優れた材質のアイ挿入部（１００）と；釣り糸（２０）が通過し、アイ挿入部（１００）と同じ材質でアイ挿入部（１００）の上端にＬ字状に折り曲げられた状態を維持してから、釣り糸（２０）のフックセット時にアイ挿入部（１００）と一文字状をなすように伸びる糸案内部（１１０）と；アイ挿入部（１００）と糸案内部（１１０）とが接する前面コーナー部（１２０）の両側面でアイ挿入部（１００）に挿入された釣り針（１０）のポイント（１３）の上側に向かって両端（２１０）がＶ字状に広がった状態を維持してから、フックセットなどによって糸案内部（１１０）が伸びると、両端（２１０）がシャンク（１２）に向かって回転する掛かり防止具（２００）と；を含んで構成され、ポイントの上側を効果的に塞ぐ掛かり防止具により、ポイントが水中の水草や岩盤に掛かるおそれがないので、釣り道具の損失を最大限防止することができ、掛かり防止具を小さい魚形態の擬似餌として形成すると、釣り針の生き餌と擬似餌を併用することができ、大魚の誘引効果が大きく表れる。
2019504651.tif 000002
【特許請求の範囲】
【請求項１】
釣り針の根がかり防止装置を構成することにおいて、
釣り糸（２０）が縛られたアイ（１１）が挿入されるように内部にアイ挿入ホールが備えられた柔らかく且つ弾性力に優れた材質のアイ挿入部（１００）と；
アイ（１１）に縛られた釣り糸（２０）が通過するようにアイ挿入ホールに通じる糸案内ホールが備えられ、アイ挿入部（１００）と同じ材質でアイ挿入部（１００）の上端にＬ字状に折り曲げられた状態を維持してから、釣り糸（２０）のフックセット時にアイ挿入部（１００）と一文字状をなすように伸びる糸案内内部（１１０）と；
アイ挿入部（１００）と糸案内部（１１０）とが接する前面コーナー部（１２０）の両側面でアイ挿入部（１００）に挿入された釣り針（１０）のポイント（１３）の上側に向かって両端（２１０）がＶ字状に広がった状態を維持し、糸案内部（１１０）が伸びると、両端（２１０）がシャンク（１２）に向かって回転する掛かり防止具（２００）と；を含んで構成されたことを特徴とする釣り針の根がかり防止装置。
【請求項２】
アイ挿入部（１００）及び糸案内部（１１０）は、柔らかく且つ弾性力に優れたシリコン系列の材質で形成されたものであり、
掛かり防止具（２００）は、弾性力及び復元力に優れた軟質系列の材質で形成されたものであることを特徴とする、請求項１に記載の釣り針の根がかり防止装置。
【請求項３】
掛かり防止具（２００）を小さいクリル（エビ）などの擬似餌の形状に形成し、釣り針に付ける生き餌と擬似餌を併用できるようにしたことを特徴とする、請求項１に記載の釣り針の根がかり防止装置。
【発明の詳細な説明】
【技術分野】
【０００１】
本発明は、釣り針の根がかり防止装置に関し、特に、釣り針のポイントが水草や岩盤などによく掛からずに容易に釣りを行えるので、釣りをするとき、釣り糸及び釣り針などの釣り道具の損失及びそれによる環境汚染、並びに現場での釣り道具の取り替え完成にかかる時間などを著しく減少できる釣り針の根がかり防止装置に関する。
【背景技術】
【０００２】
一般に、釣り針は、釣りをするときに最も多く準備してから使用する釣り道具であると言える。
【０００３】
このような釣り針は、釣り竿の釣り糸の先端が巻かれて縛られるアイ、シャンク、ベンド、ポイント及び針に掛かった魚が抜け出ないようにポイントの下部から突出したバーブに区分される。
【０００４】
釣り針のポイントを通じて餌を付けた後、釣り竿を用いて釣り糸の先端の釣り針を水中に投入しておくと、釣り針は重い鉛棒によって水中に沈み込むようになり、水中に沈み込んだ釣り針の餌に魚が食い付こうとするときに釣り糸を迅速に引き上げることによって魚が釣り針に掛かるようになる。
【０００５】
そして、魚の口に掛かった釣り針は、逆方向に突出したバーブによって魚の口から抜け出ずに魚の口に堅固に掛かった状態を維持するので、魚は釣り針に掛かった状態で引き出されるようになる。
【０００６】
また、釣りをするときは、釣り針の餌に魚が食い付いたときだけでなく、水中に投入した釣り針の餌を取り替えるために随時に釣り針を水の外部に引き出さなければならない。
【０００７】
ところが、釣りをするほとんどの水中には各種の水草や岩盤などの障害物が多く存在しており、釣り針に魚が掛かったとき、釣り針が魚の口の中に掛かった状態となるので、釣り竿を持ち上げながら魚を引っ張ったとしても、ポイントが水草や岩盤に掛かるおそれがあまりない。
【０００８】
しかし、釣り針の餌を取り替えるために釣り針を水の外部に引き出すときは、空いている釣り針の鋭いポイントが水草や岩盤などによく掛かるようになり、釣り針が水草や岩盤に弱く掛かったときは、釣り糸を数回引っ張ると、掛かっていた水草や岩盤から釣り針が抜け出ることによって再度釣りをすることができる。
【０００９】
その一方で、水草や岩盤に釣り針が非常に堅固に掛かったときは、いくら釣り糸を引っ張ったとしても釣り針が抜け出ないので、結局、釣り糸を切った後、釣り糸、釣り針、鉛棒、浮きなどを再度付けたときのみに釣りを行えるようになり、釣り道具の損失が大きいと言える。
【００１０】
このような問題を解決するための先行技術としては、下記の特許文献の大韓民国公開特許公報公開番号第１０−２０１０−００７１４５４号（２０１０年０６月２９日公開）の根がかり防止用釣り針（以下、「先行技術」という。）を挙げることができる。
【００１１】
前記先行技術は、釣り針の胴体に挿入溝を形成し、釣り針の終端のフック（ポイント）を覆う蓋を前記挿入溝に上下に回転できるようにヒンジ結合し、蓋が設置される挿入溝の両側には蓋の支持突起を突出形成し、水中から引っ張られるときに蓋が釣り針のフック（ポイント）を覆って保護することによって、水草や岩にフック（ポイント）が掛からないように構成したものである。
【先行技術文献】
【特許文献】
【００１２】
【特許文献１】大韓民国公開特許公報公開番号第１０−２０１０−００７１４５４号（２０１０年０６月２９日公開）の根がかり防止用釣り針
【発明の概要】
【発明が解決しようとする課題】
【００１３】
前記先行技術は、非常に細いシャンクに挿入溝が形成されなければならなく、そのような挿入溝に蓋をヒンジ結合しなければならない構造であるので、作業性が非常に悪く、大量生産が難しく、これは釣り針の価格上昇につながり、釣り人達に釣り道具の購入による負担を与えるようになる。
【００１４】
そして、先行技術は、上方に置かれた蓋の状態を維持させる支持突起が擦れて緩むと、水中で蓋がポイントに向かって下がり、ポイントを常に覆っている状態となる。
【００１５】
このように蓋がポイントを覆っていると、魚が餌を引っ張って口に入れたとき、釣り糸を強く引っ張ったとしても、釣り針のポイントを覆っている蓋によって魚が釣り針に全く掛からなくなり、釣りを十分に楽しめないという問題がある。
【００１６】
本発明は、このような従来技術及び先行技術の問題を改善するために開発されたものであって、本発明の目的は、餌を取り替えるために釣り糸を引っ張ったとき、ポイントが水草や岩盤などによく掛からずに容易に釣りをすることができ、釣り道具の損失を最小化できる釣り針の根がかり防止装置を提供することにある。
【００１７】
本発明の他の目的は、根がかり防止機能の他に、擬似餌としての機能を付与し、擬似餌と生き餌を併用することによって、釣り効果を極大化できる釣り針の根がかり防止装置を提供することにある。
【課題を解決するための手段】
【００１８】
このような本発明の目的は、釣り糸が縛られたアイが挿入される柔らかく且つ弾性力に優れた材質のアイ挿入部と；釣り糸が通過し、アイ挿入部と同一の材質でアイ挿入部の上端にＬ字状に折り曲げられた状態を維持してから、釣り糸がフックセットされたり強く引っ張られると、アイ挿入部と一文字状をなすように伸びる糸案内部と；アイ挿入部と糸案内部とが出会う前面コーナー部の両側面に設置され、アイ挿入部に挿入された釣り針のポイントの上側に向かって両端がＶ字状に広がった状態を維持し、糸案内部が伸びると、両端がシャンクに向かって回転する掛かり防止具と；を含んで構成することによって達成される。
【００１９】
本発明の他の目的は、掛かり防止具を小さい魚などの擬似餌の形状に形成し、釣り針に付ける生き餌と擬似餌を併用することによって達成される。
【発明の効果】
【００２０】
このような本発明は、釣り糸の餌を取り替えるために釣り糸を引っ張るときは、糸案内部がアイ挿入部の上端にＬ字状に折り曲げられた形態をそのまま維持しながら引っ張られるので、掛かり防止具がポイントの上側を効果的に塞ぎながら通過することによって、釣り針のポイントが水中の水草や岩盤に掛かるおそれがなく、釣り道具の損失を最大限防止できるという効果を有する。
【００２１】
そして、小さいクリル（エビ）形態の擬似餌として形成された掛かり防止具によって釣り針の生き餌と擬似餌を併用できるので、魚の誘引効果が表れ、より多くの魚を釣ることができるという効果も有する。
【図面の簡単な説明】
【００２２】
【図１】本発明の根がかり防止装置が釣り針と分離された状態を示す斜視図である。
【図２】本発明の根がかり防止装置が釣り針のアイと結合されて設置された状態を示す横断面図である。
【図３】本発明において釣り糸のフックセット時に掛かり防止具がポイントから逸脱してシャンク側に移動した状態を示す横断面図である。
【図４】本発明の掛かり防止具が擬似餌として使用された状態を示す側面図である。
【発明を実施するための形態】
【００２３】
以下では、本発明における前記目的を達成するための技術構成及び作用を、好適な実施例として添付した図面に基づいて具体的に説明する。
【００２４】
図１は、本発明の根がかり防止装置が釣り針と分離された状態を示す斜視図で、図２は、本発明の根がかり防止装置が釣り針のアイと結合されて設置された状態を示す横断面図で、図３は、本発明において釣り糸がピンと張った状態でフックセットされ、掛かり防止具がポイントから逸脱してシャンク側に移動した状態を示す横断面図である。
【００２５】
各図面に示したように、本発明は、釣り糸２０が縛られたアイ１１が挿入されるように内部にアイ挿入ホールが備えられた柔らかく且つ弾性力に優れた材質のアイ挿入部１００と；アイ１１に縛られた釣り糸２０が通過するようにアイ挿入ホールに通じる糸案内ホールが備えられ、アイ挿入部１００と同じ材質でアイ挿入部１００の上端にＬ字状に折り曲げられた状態を維持してから、釣り糸２０のフックセット時にアイ挿入部１００と一文字状をなすように伸びる糸案内部１１０と；を含んで構成される。
【００２６】
そして、アイ挿入部１００と糸案内部１１０とが接する前面コーナー部１２０の両側面でアイ挿入部１００に挿入された釣り針１０のポイント１３の上側に向かって両端２１０がＶ字状に広がった状態を維持し、糸案内部１１０が伸びると、両端２１０がシャンク１２に向かって回転する掛かり防止具２００がさらに含まれたことを特徴とする。
【００２７】
ここで、アイ挿入部１００及び糸案内部１１０は、柔らかく且つ弾性力に優れたシリコン系列の材質で形成することが好ましく、掛かり防止具２００は、弾性力及び復元力に優れた軟質系列の材質で形成することが好ましい。図中の未説明符号「１４」は、釣り針１０のバーブである。
【００２８】
このように形成された本発明の根がかり防止装置を装着するときは、図１に示すように、釣り糸２０の先端を糸案内部１１０を通じてアイ挿入部１００側に通過させた後、釣り糸２０を釣り針１０のアイ１１に縛った後、釣り糸２０が縛られたアイ１１をアイ挿入部１００に挿入するとき、ポイント１３がＶ字状に広がった掛かり防止具２００の間に置かれるようにすると、図２に示すように、本発明の根がかり防止装置が釣り針１０のアイ１１に迅速且つ簡単に設置される。このような本発明においては、従来の公知となった釣り針をそのまま使用すればよい。
【００２９】
図２に示すように、本発明の根がかり防止装置が装着され、掛かり防止具２００がポイント１３部位に置かれたとしても、掛かり防止具２００の両端２１０は、図１に示すように、ポイント１３を挟んで一定間隔だけ広がった状態を維持しているので、ポイント１３に生き餌を簡単に付けることができる。
【００３０】
生き餌を付け、釣り針１０を水中に投入しながら釣りを行った後、生き餌を再度取り替えようとするときは、ほとんどの魚が逃げ出すことを防止するために、しばらくの間釣り糸２０を引っ張るようになる。
【００３１】
このようにしばらくの間釣り糸２０を引っ張ると、釣り糸２０が通過して案内される糸案内部１１０は、アイ挿入部１００でＬ字状に折り曲げられた状態をそのまま維持しながら引っ張られるので、釣り糸２０と共に引っ張られる釣り針１０のポイント１３の上側を掛かり防止具２００が塞ぐ状態となる。
【００３２】
その結果、水中の水草や岩盤にポイント１３及びバーブ１４が掛かる前に、まず、弾性力及び復元力の良い材質で作られた掛かり防止具２００が水草や岩盤にぶつかりながらポイント１３を通過させ、釣り針１０を安全に水の外部に取り出すことができるので、生き餌をより迅速に取り替えることができる。また、釣り針が水草や岩盤に最も多く掛かる餌の取り替え作業時に、本発明は、ポイント１３及びバーブ１４が水草や岩盤に掛かるおそれをなくすので、釣り道具の損失を最大限防止することができる。
【００３３】
そして、水中の釣り針１０に付けられた生き餌に魚が食い付くときに釣り糸２０を迅速にフックセットするようになるが、このような迅速なフックセットによって釣り糸２０が引っ張られたり、又は大魚が食い付くことによって釣り糸２０が引っ張られると、その力により、柔らかく且つ弾性力の良い糸案内部１１０はアイ挿入部１００の長さ方向に沿って一文字状に伸びるようになる。
【００３４】
その結果、図３に示すように、前面コーナー部１２０の両側面の掛かり防止具２００は、両端２１０がシャンク１２側に回転しながらポイント１３部分を完全に露出させるので、フックセットされる釣り針１０のポイント１３に魚が容易且つ完全な状態で掛かるようになり、フックセット時の魚の掛かり状態が非常に良好になる。
【００３５】
図４は、本発明の掛かり防止具２００が擬似餌として使用された状態を示す側面図である。図４に示すように、本発明は、掛かり防止具２００を小さい魚などの擬似餌の形状に形成し、釣り針１０に付ける生き餌と擬似餌を併用することができる。
【００３６】
その結果、根がかり防止機能の他に、魚の誘引や釣り効果を極大化することができ、より多くの魚を釣ることができる。
【符号の説明】
【００３７】
１０：釣り針  １１：アイ
１２：シャンク  １３：ポイント
１４：バーブ  １００：アイ挿入部
１１０：糸案内部  １２０：コーナー部
２００：掛かり防止具  ２１０：両端
【図１】
2019504651.tif 000003
【図２】
2019504651.tif 000004
【図３】
2019504651.tif 000005
【図４】
2019504651.tif 000006
【国際調査報告】
2019504651.tif 000007
2019504651.tif 000008
2019504651.tif 000009
2019504651.tif 000010